(57)【特許請求の範囲】
【請求項１】
電話通信網に接続された広告用コンピュータで、広告主から提供された広告情報を携帯電話に配信する広告配信システムであって、
前記広告用コンピュータは、
複数の前記広告情報を記憶する広告情報記憶手段と、
前記広告情報の広告主を、事業規模に従って複数の部類に分類する事業規模分類手段と、
前記広告情報記憶手段に記憶された複数の前記広告情報を、前記事業規模分類手段に基づき、少なくとも互いに事業規模の異なる前記広告主の前記広告情報が含まれるように、所定数ごとにまとめて広告群を作成する広告群作成手段と、
前記携帯電話の利用者に、前記広告群作成手段により作成された複数の前記広告群に基づく広告群一覧から少なくとも一組の前記広告群を選択させる広告群選択手段と、
該広告群選択手段により選択された前記広告群を、前記電話通信網を介して前記携帯電話に配信する広告群配信手段と
を具備することを特徴とする広告配信システム。
【請求項２】
前記携帯電話は、
前記広告群配信手段により配信される前記広告群を、前記電話通信網を介して受信する広告群受信手段と、
該広告群受信手段により受信した前記広告群を記憶する広告群記憶手段と、
前記広告情報を出力する広告情報出力手段と、
他の発呼側携帯電話から呼出された場合に、前記広告群記憶手段に記憶された前記広告群から前記広告情報を順次または無作為に選択し、前記広告情報出力手段に再生する被呼側情報再生手段と
を具備することを特徴とする請求項１に記載の広告配信システム。
【請求項３】
前記携帯電話は、
他の被呼側携帯電話を呼出する場合に、前記広告群記憶手段に記憶された前記広告群から前記広告情報を順次または無作為に選択し、前記電話通信網を介して前記被呼側携帯電話に送信する広告情報送信手段をさらに具備することを特徴とする請求項１または請求項２に記載の広告配信システム。
【請求項４】
電話通信網に接続された広告用コンピュータで、広告主から提供された広告情報を携帯電話に配信する広告配信システムであって、
前記広告用コンピュータは、
複数の前記広告情報を記憶する広告情報記憶手段と、
前記広告情報の広告主を、事業規模に従って複数の部類に分類する事業規模分類手段と、
前記広告情報記憶手段に記憶された複数の前記広告情報を、前記事業規模分類手段に基づき、少なくとも互いに事業規模の異なる前記広告主の前記広告情報が含まれるように、所定数ごとにまとめて広告群を作成する広告群作成手段と、
前記携帯電話の利用者に、前記広告群作成手段により作成された複数の前記広告群に基づく広告群一覧から少なくとも一組の前記広告群を選択させる広告群選択手段と、
前記携帯電話の電話番号を、前記広告群選択手段により選択された前記広告群に対応させて記憶する電話番号記憶手段と、
前記携帯電話が他の発呼側携帯電話から呼出された場合に、前記電話番号記憶手段に記憶された前記電話番号に基づいて前記携帯電話を特定する第一特定手段と、
該第一特定手段により特定された前記携帯電話に対応する前記広告群から前記広告情報を順次または無作為に選択し、前記電話通信網を介して前記携帯電話に配信する第一情報配信手段と
を具備することを特徴とする広告配信システム。
【請求項５】
電話通信網に接続された広告用コンピュータで、広告主から提供された広告情報を携帯電話に配信する広告配信システムであって、
前記広告用コンピュータは、
複数の前記広告情報を記憶する広告情報記憶手段と、
前記広告情報の広告主を、事業規模に従って複数の部類に分類する事業規模分類手段と、
前記広告情報記憶手段に記憶された複数の前記広告情報を、前記事業規模分類手段に基づき、少なくとも互いに事業規模の異なる前記広告主の前記広告情報が含まれるように、所定数ごとにまとめて広告群を作成する広告群作成手段と、
前記携帯電話の利用者に、前記広告群作成手段により作成された複数の前記広告群に基づく広告群一覧から少なくとも一組の前記広告群を選択させる広告群選択手段と、
前記携帯電話の電話番号を、前記広告群選択手段により選択された前記広告群に対応させて記憶する電話番号記憶手段と、
前記携帯電話から他の被呼側携帯電話に呼出する場合に、前記電話番号記憶手段に記憶された前記電話番号に基づいて前記携帯電話を特定する第二特定手段と、
該第二特定手段により特定された前記携帯電話に対応する前記広告群から前記広告情報を順次または無作為に選択し、前記電話通信網を介して前記被呼側携帯電話に配信する第二情報配信手段と
を具備することを特徴とする広告配信システム。
【請求項６】
前記広告用コンピュータは、
前記広告情報配信手段により配信した前記広告情報の配信回数を、前記携帯電話ごとに集計する配信回数集計手段と、
該配信回数集計手段により集計された前記配信回数に応じて、前記利用者に前記携帯電話の使用料金を割引する割引手段と
をさらに具備することを特徴とする請求項４または請求項５に記載の広告配信システム。
【請求項７】
呼出される側の携帯電話は、
発呼側の携帯電話から呼出された場合に、前記広告情報配信手段により配信される前記広告情報を、前記電話通信網を介して受信する広告情報受信手段と、
前記広告情報を出力する広告情報出力手段と、
前記広告情報受信手段により前記広告情報を受信すると、受信した前記広告情報を前記広告情報出力手段に再生する広告情報再生手段と
を具備することを特徴とする請求項４乃至請求項６のいずれか一つに記載の広告配信システム。
【請求項８】
複数の広告情報を記憶する広告情報記憶手段、前記広告情報の広告主を、事業規模に従って複数の部類に分類する事業規模分類手段、前記広告情報記憶手段に記憶された複数の前記広告情報を、前記事業規模分類手段に基づき、少なくとも互いに事業規模の異なる前記広告主の前記広告情報が含まれるように、所定数ごとにまとめて広告群を作成する広告群作成手段、携帯電話の利用者に、前記広告群作成手段により作成された複数の前記広告群に基づく広告群一覧から少なくとも一組の前記広告群を選択させる広告群選択手段、及び前記広告群選択手段により選択された前記広告群を、電話通信網を介して前記携帯電話に配信する広告群配信手段として、広告用コンピュータを機能させることを特徴とする広告配信プログラム。
【請求項９】
複数の広告情報を記憶する広告情報記憶手段、前記広告情報の広告主を、事業規模に従って複数の部類に分類する事業規模分類手段、前記広告情報記憶手段に記憶された複数の前記広告情報を、前記事業規模分類手段に基づき、少なくとも互いに事業規模の異なる前記広告主の前記広告情報が含まれるように、所定数ごとにまとめて広告群を作成する広告群作成手段、携帯電話の利用者に、前記広告群作成手段により作成された複数の前記広告群に基づく広告群一覧から少なくとも一組の前記広告群を選択させる広告群選択手段、前記携帯電話の電話番号を、前記広告群選択手段により選択された前記広告群に対応させて記憶する電話番号記憶手段、前記携帯電話が他の発呼側携帯電話から呼出された場合に、前記電話番号記憶手段に記憶された前記電話番号に基づいて前記携帯電話を特定する第一特定手段、及び前記第一特定手段により特定された前記携帯電話に対応する前記広告群から前記広告情報を順次または無作為に選択し、前記電話通信網を介して前記携帯電話に配信する第一情報配信手段として、広告用コンピュータを機能させることを特徴とする広告配信プログラム。
【発明の詳細な説明】
【０００１】
【発明の属する技術分野】
本発明は、電話通信網を利用した広告配信システム、及び広告配信プログラムに関するものである。
【０００２】
【従来の技術】
近年、携帯電話は、電話本来の通話機能はもとより、文字、静止画、動画、またはメロディ等を含む各種情報を送受信する情報送受信機能と、受信した各種情報を再生出力する出力装置とを備えている。また、携帯電話は、従来より使用されている固定電話を上回る勢いで普及してきており、学生、ビジネスマン、あるいは主婦に至るまで、今日の社会生活に広く行き渡っている。そこで、情報送受信機能により携帯電話会社等から広告情報を受信するとともに、出力装置により受信した広告情報を再生することで、携帯電話を広告媒体として活用するシステムがいくつか提案されている。
【０００３】
例えば、特開２０００−３０７７３０号公報によれば、発信番号通知とともに、例えば宣伝や要件などの通知情報を伝達し、着信側の電話における表示装置に発信電話番号及び通知情報を表示させるものが提案されている。また、特開２００１−３５２４０３号公報によれば、受信時に着信信号と同時に着信音声データを受信し、即再生できる機能を有する移動電話を普及させた上で、携帯電話の利用者に広告着信音の選択肢を与えて、利用者が広告着信音を選択した場合には、利用者が選択した広告着信音を移動電話事業会社から利用者に配信するものが提案されている。
【０００４】
【発明が解決しようとする課題】
しかしながら、上記の従来技術は次のような不都合を有していた。通常、携帯電話の利用者は、既知であるとともに好みの楽曲を着信メロディとして利用することが多い。換言すれば、利用者にとって馴染みの薄い未知の楽曲を着信メロディとして利用することは少ない。その場合と同様に、利用者に、単純に広告情報の選択肢を与えて登録させると、比較的事業規模の大きく、テレビジョン等における広告等でパブリシティを得ている一部の広告主の広告情報に利用者の選択が集中する可能性があった。一方で、比較的事業規模の小さく、パブリシティを得ていない広告主の広告情報が利用者に選択されることは少なく、殆ど利用されないため、パブリシティを得ていない広告主にとっては広告効果が期待できないという問題があった。
【０００５】
そこで、本発明は上記の実情を鑑み、電話通信網を利用し、特定の広告主に偏ることなく広告効果が期待できる広告配信システム、及び広告配信プログラムの提供を課題とするものである。
【０００６】
【課題を解決するための手段】
請求項１の発明にかかる広告配信システムは、電話通信網に接続された広告用コンピュータで、広告主から提供された広告情報を携帯電話に配信する広告配信システムであって、前記広告用コンピュータは、複数の前記広告情報を記憶する広告情報記憶手段と、前記広告情報の広告主を、事業規模に従って複数の部類に分類する事業規模分類手段と、前記広告情報記憶手段に記憶された複数の前記広告情報を、前記事業規模分類手段に基づき、少なくとも互いに事業規模の異なる前記広告主の前記広告情報が含まれるように、所定数ごとにまとめて広告群を作成する広告群作成手段と、前記携帯電話の利用者に、前記広告群作成手段により作成された複数の前記広告群に基づく広告群一覧から少なくとも一組の前記広告群を選択させる広告群選択手段と、該広告群選択手段により選択された前記広告群を、前記電話通信網を介して前記携帯電話に配信する広告群配信手段とを備えるものである。
【０００７】
ここで、広告情報とは、広告主、または広告主の商品を広告する情報で、文字、静止画、動画、音声、及びメロディの少なくとも一つの情報から構成されているものである。
【０００８】
したがって、請求項１の発明の広告配信システムによれば、広告用コンピュータは、広告主から提供された広告情報を記憶し、記憶された複数の広告情報を所定数ごとにまとめて広告群を作成する。そして、携帯電話の利用者に、作成した複数の広告群に基づく広告群一覧から少なくとも一組の広告群を選択させる。さらに、広告用コンピュータは、携帯電話の利用者に選択された広告群を、電話通信網を介して携帯電話に配信する。
【０００９】
請求項２の発明にかかる広告配信システムは、請求項１に記載の広告配信システムにおいて、前記携帯電話は、前記広告群配信手段により配信される前記広告群を、前記電話通信網を介して受信する広告群受信手段と、該広告群受信手段により受信した前記広告群を記憶する広告群記憶手段と、前記広告情報を出力する広告情報出力手段と、他の発呼側携帯電話から呼出された場合に、前記広告群記憶手段に記憶された前記広告群から前記広告情報を順次または無作為に選択し、前記広告情報出力手段に再生する被呼側情報再生手段とを備えるものである。
【００１０】
したがって、請求項２の発明の広告配信システムによれば、請求項１の発明の広告配信システムの作用に加え、携帯電話は、電話通信網を介して広告群を受信し、受信した広告群を記憶する。さらに、携帯電話は、他の発呼側携帯電話から呼出された場合に、記憶された広告群から広告情報を順次または無作為に選択し、再生する。
【００１１】
請求項３の発明にかかる広告配信システムは、請求項１または請求項２に記載の広告配信システムにおいて、前記携帯電話は、他の被呼側携帯電話を呼出する場合に、前記広告群記憶手段に記憶された前記広告群から前記広告情報を順次または無作為に選択し、前記電話通信網を介して前記被呼側携帯電話に送信する広告情報送信手段をさらに具備するものである。
【００１２】
したがって、請求項３の発明の広告配信システムによれば、請求項１または請求項２の発明の広告配信システムの作用に加え、携帯電話は、他の被呼側携帯電話を呼出する場合に、携帯電話に記憶された広告群から広告情報を順次または無作為に選択し、電話通信網を介して被呼側携帯電話に送信する。
【００１３】
請求項４の発明にかかる広告配信システムは、電話通信網に接続された広告用コンピュータで、広告主から提供された広告情報を携帯電話に配信する広告配信システムであって、前記広告用コンピュータは、複数の前記広告情報を記憶する広告情報記憶手段と、前記広告情報の広告主を、事業規模に従って複数の部類に分類する事業規模分類手段と、前記広告情報記憶手段に記憶された複数の前記広告情報を、前記事業規模分類手段に基づき、少なくとも互いに事業規模の異なる前記広告主の前記広告情報が含まれるように、所定数ごとにまとめて広告群を作成する広告群作成手段と、前記携帯電話の利用者に、前記広告群作成手段により作成された複数の前記広告群に基づく広告群一覧から少なくとも一組の前記広告群を選択させる広告群選択手段と、前記携帯電話の電話番号を、前記広告群選択手段により選択された前記広告群に対応させて記憶する電話番号記憶手段と、前記携帯電話が他の発呼側携帯電話から呼出された場合に、前記電話番号記憶手段に記憶された前記電話番号に基づいて前記携帯電話を特定する第一特定手段と、該第一特定手段により特定された前記携帯電話に対応する前記広告群から前記広告情報を順次または無作為に選択し、前記電話通信網を介して前記携帯電話に配信する第一情報配信手段とを備えるものである。
【００１４】
したがって、請求項４の発明の広告配信システムによれば、広告用コンピュータは、広告主から提供された広告情報を記憶し、記憶された複数の広告情報を所定数ごとにまとめて広告群を作成する。そして、携帯電話の利用者に、作成した複数の広告群に基づく広告群一覧から少なくとも一組の広告群を選択させ、携帯電話の電話番号を、選択された広告群に対応させて記憶する。そして、携帯電話が他の発呼側携帯電話から呼出された場合に、記憶された電話番号に基づいて携帯電話を特定する。さらに、広告用コンピュータは、特定された携帯電話に対応する広告群から広告情報を順次または無作為に選択し、電話通信網を介して携帯電話に配信する。
【００１５】
請求項５の発明にかかる広告配信システムは、電話通信網に接続された広告用コンピュータで、広告主から提供された広告情報を携帯電話に配信する広告配信システムであって、前記広告用コンピュータは、複数の前記広告情報を記憶する広告情報記憶手段と、前記広告情報の広告主を、事業規模に従って複数の部類に分類する事業規模分類手段と、前記広告情報記憶手段に記憶された複数の前記広告情報を、前記事業規模分類手段に基づき、少なくとも互いに事業規模の異なる前記広告主の前記広告情報が含まれるように、所定数ごとにまとめて広告群を作成する広告群作成手段と、前記携帯電話の利用者に、前記広告群作成手段により作成された複数の前記広告群に基づく広告群一覧から少なくとも一組の前記広告群を選択させる広告群選択手段と、前記携帯電話の電話番号を、前記広告群選択手段により選択された前記広告群に対応させて記憶する電話番号記憶手段と、前記携帯電話から他の被呼側携帯電話に呼出する場合に、前記電話番号記憶手段に記憶された前記電話番号に基づいて前記携帯電話を特定する第二特定手段と、該第二特定手段により特定された前記携帯電話に対応する前記広告群から前記広告情報を順次または無作為に選択し、前記電話通信網を介して前記被呼側携帯電話に配信する第二情報配信手段とを備えるものである。
【００１６】
したがって、請求項５の発明の広告配信システムによれば、広告用コンピュータは、広告主から提供された広告情報を記憶し、記憶された複数の広告情報を所定数ごとにまとめて広告群を作成する。そして、携帯電話の利用者に、作成した複数の広告群に基づく広告群一覧から少なくとも一組の広告群を選択させ、携帯電話の電話番号を、選択された広告群に対応させて記憶する。そして、携帯電話から他の被呼側携帯電話に呼出する場合に、記憶された電話番号に基づいて携帯電話を特定し、特定された携帯電話に対応する広告群から広告情報を順次または無作為に選択し、電話通信網を介して被呼側携帯電話に配信する。
【００１７】
請求項６の発明にかかる広告配信システムは、請求項４または請求項５に記載の広告配信システムにおいて、前記広告用コンピュータは、前記広告情報配信手段により配信した前記広告情報の配信回数を、前記携帯電話ごとに集計する配信回数集計手段と、該配信回数集計手段により集計された前記配信回数に応じて、前記利用者に前記携帯電話の使用料金を割引する割引手段とを備えている。
【００１８】
したがって、請求項６の発明の広告配信システムによれば、請求項４または請求項５の発明の広告配信システムの作用に加え、広告用コンピュータは、配信した広告情報の配信回数を携帯電話ごとに集計し、集計した配信回数に応じて携帯電話の使用料金を割引する。
【００１９】
請求項７の発明にかかる広告配信システムは、請求項４乃至請求項６のいずれか一つに記載の広告配信システムにおいて、呼出される側の携帯電話は、発呼側の携帯電話から呼出された場合に、前記広告情報配信手段により配信される前記広告情報を、前記電話通信網を介して受信する広告情報受信手段と、前記広告情報を出力する広告情報出力手段と、前記広告情報受信手段により前記広告情報を受信すると、受信した前記広告情報を前記広告情報出力手段に再生する広告情報再生手段とを備えているものである。
【００２０】
したがって、請求項７の発明の広告配信システムによれば、請求項４乃至請求項６のいずれか一つに記載の広告配信システムの作用に加え、携帯電話は、発呼側の携帯電話から呼出された場合に、配信される広告情報を電話通信網を介して受信する。そして、受信した広告情報を再生する。
【００２１】
請求項８の発明にかかる広告配信プログラムは、複数の広告情報を記憶する広告情報記憶手段、前記広告情報の広告主を、事業規模に従って複数の部類に分類する事業規模分類手段、前記広告情報記憶手段に記憶された複数の前記広告情報を、前記事業規模分類手段に基づき、少なくとも互いに事業規模の異なる前記広告主の前記広告情報が含まれるように、所定数ごとにまとめて広告群を作成する広告群作成手段、携帯電話の利用者に、前記広告群作成手段により作成された複数の前記広告群に基づく広告群一覧から少なくとも一組の前記広告群を選択させる広告群選択手段、及び前記広告群選択手段により選択された前記広告群を、電話通信網を介して前記携帯電話に配信する広告群配信手段として、広告用コンピュータを機能させるものである。
【００２２】
したがって、請求項８の発明の広告配信プログラムによれば、広告配信プログラムを実行すると、広告用コンピュータは、広告主から提供された広告情報を記憶し、記憶された複数の広告情報を所定数ごとにまとめて広告群を作成する。そして、携帯電話の利用者に、作成した複数の広告群に基づく広告群一覧から少なくとも一組の広告群を選択させる。さらに、広告用コンピュータは、携帯電話の利用者に選択された広告群を、電話通信網を介して携帯電話に配信する。
【００２３】
請求項９の発明にかかる広告配信プログラムは、複数の広告情報を記憶する広告情報記憶手段、前記広告情報の広告主を、事業規模に従って複数の部類に分類する事業規模分類手段、前記広告情報記憶手段に記憶された複数の前記広告情報を、前記事業規模分類手段に基づき、少なくとも互いに事業規模の異なる前記広告主の前記広告情報が含まれるように、所定数ごとにまとめて広告群を作成する広告群作成手段、携帯電話の利用者に、前記広告群作成手段により作成された複数の前記広告群に基づく広告群一覧から少なくとも一組の前記広告群を選択させる広告群選択手段、前記携帯電話の電話番号を、前記広告群選択手段により選択された前記広告群に対応させて記憶する電話番号記憶手段、前記携帯電話が他の発呼側携帯電話から呼出された場合に、前記電話番号記憶手段に記憶された前記電話番号に基づいて前記携帯電話を特定する第一特定手段、及び前記第一特定手段により特定された前記携帯電話に対応する前記広告群から前記広告情報を順次または無作為に選択し、前記電話通信網を介して前記携帯電話に配信する第一情報配信手段として、広告用コンピュータを機能させるものである。
【００２４】
したがって、請求項９の発明の広告配信プログラムによれば、広告配信プログラムを実行すると、広告用コンピュータは、広告主から提供された広告情報を記憶し、記憶された複数の広告情報を所定数ごとにまとめて広告群を作成する。そして、携帯電話の利用者に、作成した複数の広告群に基づく広告群一覧から少なくとも一組の広告群を選択させ、携帯電話の電話番号を、選択された広告群に対応させて記憶する。そして、携帯電話が他の発呼側携帯電話から呼出された場合に、記憶した電話番号に基づいて携帯電話を特定する。さらに、広告用コンピュータは、特定された携帯電話に対応する広告群から広告情報を順次または無作為に選択し、電話通信網を介して携帯電話に配信する。
【００２５】
【発明の実施の形態】
以下、本発明の第一実施形態である広告配信システムについて、図１乃至図８に基づき説明する。図１は本発明の第一実施形態である広告配信システムの構成を示す説明図であり、図２及び図３は広告配信システムの機能的構成を示すブロック図であり、図４は広告配信システムの広告情報を示す説明図であり、図５乃至図８は広告配信システムにおける処理の流れを示すフローチャートである。第一実施形態の広告配信システム１は、携帯電話会社２によって運営され、広告主Ｋから広告情報Ｉを募集するとともに携帯電話Ｄ等に配信することで、携帯電話Ｄの利用者Ｒに対して広告を行い、携帯電話Ｄを広告媒体として活用するために設けられたものである。また、広告配信システム１は、図１に示すように、通信回線３を介して電話通信網４に接続され、広告主Ｋから提供された広告情報Ｉを管理及び配信する広告用コンピュータ５と、利用者Ｒが用いる携帯電話Ｄとから構成されている。
【００２６】
広告用コンピュータ５は、汎用コンピュータを用い、機能的構成としては、図２に示すように、広告主Ｋから提供された広告情報Ｉを入力する広告情報入力手段６と、広告情報入力手段６により入力された広告情報Ｉを記憶する広告情報記憶手段７と、広告主Ｋを事業規模ごとに分類する事業規模分類手段８と、広告情報記憶手段７に記憶された広告情報Ｉを、事業規模分類手段８に基づき、少なくとも互いに事業規模の異なる広告主Ｋの広告情報Ｉが含まれるように、所定数ごとにまとめて広告群Ｇを作成する広告群作成手段９と、携帯電話Ｄの利用者Ｒに、広告群作成手段９により作成された複数の広告群Ｇに基づく広告群一覧から少なくとも一組の広告群Ｇを選択させる広告群選択手段１０と、広告群選択手段１０により選択された広告群Ｇを、電話通信網４を介して携帯電話Ｄに配信する広告群配信手段１１と、種々の情報の送受信を行う送信制御手段１２及び受信制御手段１３に接続した通信手段１４とを備えている。
【００２７】
事業規模分類手段８は、従業員数によって、例えば、１人以上５０人未満、５０人以上３００人未満、３００人以上１０００人未満、及び１０００人以上というように範疇を作成し、広告主Ｋをそれぞれ該当する範疇に分類するものである。そして、広告群作成手段９において広告情報Ｉを例えば４つごとにまとめて広告群Ｇを作成する場合は、上記４つの範疇からそれぞれ一つずつ広告情報Ｉを取り出すことになる。作成される広告群Ｇの一例としては、従業員５，０００人を超え、テレビジョン等における広告で既にパブリシティを獲得した大手企業である広告主Ｋａの広告情報Ｉａ、従業員約８００人の準大手企業である広告主Ｋｃの広告情報Ｉｃ、従業員約１００人の中小企業である広告主Ｋｄの広告情報ＫＩｄ、及び従業員約１０人の地元企業である広告主Ｋｈの広告情報Ｉｈというように、互いに事業規模の異なる広告主Ｋの広告情報Ｉが含まれるように作成されることになる。
【００２８】
また、広告群選択手段１０は、広告群作成手段９により作成された複数の広告群Ｇに基づく広告群一覧を作成するとともに携帯電話Ｄに送信させ、携帯電話Ｄから選択情報を受信することで、携帯電話Ｄの利用者Ｒに少なくとも一組の広告群Ｇを選択させるものである。
【００２９】
一方、携帯電話Ｄは、図３に示すように、広告群配信手段１１により配信される広告群Ｇを、電話通信網４を介して受信する広告群受信手段１５と、広告群受信手段１５により受信した広告群Ｇを記憶する広告群記憶手段１６と、広告情報Ｉに含まれる文字、静止画、または動画等の表示情報を出力する表示制御手段１７及び表示出力手段１８と、広告情報Ｉに含まれる音声、またはメロディ等の発音情報を出力する発音制御手段１９及び発音出力手段２０と、発呼側携帯電話Ｄａから呼出された場合に、利用者Ｒにより通話ボタン２１が押されるまで、広告群記憶手段１６に記憶された広告群Ｇから広告情報Ｉを順次または無作為に選択し、表示出力手段１８及び発音出力手段２０に再生する被呼側情報再生手段２２とを備えている。ここで、表示制御手段１７と、表示出力手段１８と、発音制御手段１９と、発音出力手段２０とを組み合わせたものが本発明の広告情報出力手段に相当する。
【００３０】
さらに、携帯電話Ｄは、被呼側携帯電話Ｄｃを呼出する場合に、広告群記憶手段１６に記憶された広告群Ｇから広告情報Ｉを順次または無作為に選択し、電話通信網４を介して被呼側携帯電話Ｄｃに送信する広告情報送信手段２３と、発呼側携帯電話Ｄｂから呼出された場合に、発呼側携帯電話Ｄｂから送信された広告情報Ｉを、電話通信網４を介して受信する広告情報受信手段２４と、広告情報受信手段２４により広告情報Ｉを受信すると、利用者Ｒにより通話ボタン２１が押されるまで、受信した広告情報Ｉを表示出力手段１８及び発音出力手段２０に再生させる発呼側情報再生手段２５とを備えている。
【００３１】
さらに、携帯電話Ｄは、種々の情報の送受信を行う電話用送信制御手段２６及び電話用受信手段２７に接続した電話用通信手段２８と、通話ボタン２１を有し携帯電話Ｄを操作する操作手段２９と、広告群選択手段１０により送信された広告群一覧を受信するとともに表示出力手段１８に出力する広告群一覧受信手段３０と、操作手段２９により少なくとも一組の広告群Ｇが選択され選択情報が得られると、電話通信網４を介して選択情報を広告用コンピュータ５に送信する選択情報送信手段３１と、発呼側携帯電話Ｄｂから呼出された場合に、利用者Ｒに、被呼側情報再生手段２２及び発呼側情報再生手段２５のどちらを利用するか選択させる再生選択手段３２とを備えている。
【００３２】
ここで、広告情報Ｉとは、図４に示すように、携帯電話Ｄの表示出力手段１８または発音出力手段２０で再生可能な文字、静止画、動画、音声、またはメロディの少なくとも一つの情報から構成された、広告主Ｋ、または広告主Ｋの商品を広告するものである。また、広告群Ｇから順次または無作為に選択し、再生または送信する広告情報Ｉに、一定の確率で、例えばプレゼント等の特典情報が付与されるようになっている。なお、広告情報Ｉは、広告主Ｋが制作し、携帯電話会社２に提供される。ただし、広告主Ｋが広告代理店（図示しない）等に広告情報Ｉの制作を依頼し、広告代理店から携帯電話会社２に提供される場合もある。
【００３３】
次に、本実施形態の広告配信システム１の運用方法について説明する。まず、広告用コンピュータ５において広告情報Ｉの入力から広告群一覧の作成までの処理の流れについて、図５に示すフローチャートに基づいて説明する。携帯電話会社２の担当者によって、広告主Ｋから提供された広告情報Ｉが広告用コンピュータ５に入力されると（ステップＳ１においてＹＥＳ）、広告用コンピュータ５は、入力された広告情報Ｉを記憶する（ステップＳ２）。次に、広告用コンピュータ５は、記憶された広告情報Ｉを、事業規模ごとに予め定められた各範疇に分類する（ステップＳ３）。各範疇にそれぞれ一つ以上の広告情報Ｉが蓄積されると（ステップＳ４においてＹＥＳ）、記憶された広告情報Ｉを利用して、所定数ごとにまとめて広告群Ｇを作成する（ステップＳ５）。各範疇にそれぞれ一つ以上の広告情報Ｉが蓄積されていない場合（ステップＳ４においてＮＯ）、広告群作成処理を終了する。広告群Ｇが作成されると、広告群Ｇに基づく広告群一覧を作成するか、または既に作成された広告群一覧に追加する（ステップＳ６）。
【００３４】
次に、広告群Ｇの配信の処理の流れについて、図６に示すフローチャートに基づいて説明する。まず、携帯電話Ｄは、広告配信システム１を利用するために、電話通信網４を介して広告用コンピュータ５に接続する（ステップＤＳ１）。広告用コンピュータ５は、携帯電話Ｄからの接続があるか否かを判断し、その接続があったと判断すると（ステップＳ７においてＹＥＳ）、広告群一覧を送信する（ステップＳ８）。携帯電話Ｄは、広告群一覧を受信し（ステップＤＳ２）、選択情報を送信する（ステップＤＳ３）。広告用コンピュータ５において選択情報の受信が確認された場合には（ステップＳ９においてＹＥＳ）、広告用コンピュータ５は、選択された広告群Ｇを携帯電話Ｄに配信する（ステップＳ１０）。そして、携帯電話Ｄは、広告群Ｇを受信して（ステップＤＳ４）、受信した広告群Ｇから広告情報を再生して内容を確認し、受信した広告群Ｇでよい場合は（ステップＤＳ５においてＹＥＳ）、広告群Ｇを記憶する（ステップＤＳ６）。内容を確認した結果、受信した広告群Ｇを利用しない場合は（ステップＤＳ５においてＮＯ）、広告群Ｇを削除してステップＤＳ３の処理に戻る。また、広告用コンピュータ５は、携帯電話Ｄからの選択情報の入力がなく、その受信が確認されない場合には（ステップＳ９においてＮＯ）、携帯電話Ｄの利用者Ｒに広告受信の意思がないと判断し、配信処理を終了する。ここで、ステップＳ２乃至ステップＳ１０が本発明における請求項８の広告配信プログラムに相当する。
【００３５】
次に、携帯電話Ｄが他の被呼側携帯電話Ｄｂを呼出する場合の処理の流れについて、図７に示すフローチャートに基づき説明する。携帯電話Ｄは、利用者Ｒにより呼出すると（ステップＤＳ７においてＹＥＳ）、発呼信号と同時に、記憶された広告群Ｇから広告情報Ｉを順次または無作為に切替え、被呼側携帯電話Ｄｂに送信する（ステップＤＳ８）。そして、利用者Ｒｂにより被呼側携帯電話Ｄｂの通話ボタンが押されると（ステップＤＳ９においてＹＥＳ）、広告情報Ｉの送信を終了する（ステップＤＳ１０）。この際、不在等の理由で、利用者Ｒｂにより被呼側携帯電話Ｄｂの通話ボタンが押されることなく、携帯電話Ｄからの呼出が中止された場合、被呼側携帯電話Ｄｂのメモリに広告情報Ｉを残すようにして、被呼側携帯電話Ｄｂの次回使用時などに広告情報Ｉを再生可能にすると良い。
【００３６】
次に、携帯電話Ｄが他の発呼側携帯電話Ｄａから呼出される場合の処理の流れについて、図８に示すフローチャートに基づき説明する。携帯電話Ｄは、発呼側携帯電話Ｄａから呼出され、呼出信号を受信するとともに（ステップＤＳ１１においてＹＥＳ）、広告情報Ｉを受信し（ステップＤＳ１２においてＹＥＳ）、利用者Ｒにより発呼側情報再生手段２５が選択されている場合（ステップＤＳ１３においてＹＥＳ）、受信した広告情報Ｉを再生する（ステップＤＳ１４）。そして利用者Ｒが通話ボタン２１を押すと（ステップＤＳ１５においてＹＥＳ）、広告情報Ｉの再生を終了する（ステップＤＳ１６）。
【００３７】
一方、広告情報Ｉを受信しなかった場合（ステップＤＳ１２においてＮＯ）、または利用者Ｒにより発呼側情報再生手段２５が選択されている場合（ステップＤＳ１３においてＮＯ）、携帯電話Ｄに記憶された広告群Ｇから広告情報Ｉを順次または無作為に選択し、再生する（ステップＤＳ１７）。そして利用者Ｒが通話ボタン２１を押すと（ステップＤＳ１８においてＹＥＳ）、ステップＤＳ１６の処理に移る。
【００３８】
以上、述べたように第一実施形態の広告配信システム１によれば、広告主Ｋから広告情報Ｉを募集し携帯電話Ｄに配信させることができる。これにより、これまで電話本来の通話機能を中心に活用されてきた携帯電話Ｄを広告媒体として有効に活用することが可能となり、広告主Ｋにとっては広告効果が期待できる。また、互いに事業規模の異なる広告主Ｋが含まれるように広告群Ｇを作成し、広告群Ｇ単位で携帯電話Ｄに配信することから、比較的事業規模が大きく、テレビジョン等の広告で既にパブリシティを得ている特定の広告主Ｋに偏って配信されることを防止できる。これにより、事業規模の比較的小さい広告主Ｋにも公平に広告効果が期待できる。さらに、広告情報Ｉが再生されるのは、携帯電話Ｄに呼出がかかり、利用者Ｒが通話ボタン２１を押すまでの間に限られるので、携帯電話Ｄの利用者Ｒにとっては、通話の妨げになることなく、自然に広告情報Ｉを受け入れることができる。
【００３９】
次に、本発明の第二実施形態である広告配信システムについて、図９乃至図１３に基づき説明する。図９は、本発明の第二実施形態である広告配信システムの構成を示す説明図であり、図１０及び図１１は広告配信システムの機能的構成を示すブロック図であり、図１２及び図１３は広告配信システムにおける処理の流れを示すフローチャートである。尚、第二実施形態の広告配信システム５０において、第一実施形態の広告配信システム１と同様の構成を示すものは、同一番号を付し、詳細な説明を省略する。
【００４０】
広告用コンピュータ５１は、図１０に示すように、携帯電話Ｗの電話番号を、広告群選択手段１０により選択された広告群に対応させて記憶する電話番号記憶手段５２と、携帯電話Ｗから他の被呼側携帯電話Ｗｂに呼出する場合、または携帯電話Ｗが他の発呼側携帯電話Ｗａから呼出された場合に、電話番号記憶手段５２に記憶された電話番号に基づいて携帯電話Ｗを特定する特定手段５３と、特定手段５３により特定された携帯電話Ｗに対応する広告群から広告情報Ｉを順次または無作為に選択し、電話通信網４を介して、携帯電話Ｗから被呼側携帯電話Ｗｂに呼出する場合は被呼側携帯電話Ｗｂに配信し、携帯電話Ｗが発呼側携帯電話Ｗａから呼出された場合は携帯電話Ｗに配信する広告情報配信手段５４とを有している。ここで、特定手段５３が本発明の第一特定手段、または第二特定手段に相当し、広告情報配信手段５４が本発明の第一情報配信手段、または第二情報配信手段に相当する。
【００４１】
さらに、広告用コンピュータ５１は、広告情報配信手段５４により配信された広告情報Ｉの配信回数を、携帯電話Ｗごとに集計する配信回数集計手段５５と、配信回数集計手段５５により集計された配信回数に応じて、携帯電話Ｗの利用者Ｙに、携帯電話Ｗの使用料金を割引する割引手段５６とをさらに有している。
【００４２】
一方、携帯電話Ｗは、図１１に示すように、発呼側携帯電話Ｗａから呼出された場合に、広告情報配信手段５４により配信される広告情報Ｉを、電話通信網４を介して受信する広告情報受信手段５７と、広告情報受信手段５７により広告情報Ｉを受信すると、広告情報Ｉを表示出力手段１８及び発音出力手段２０に再生する広告情報再生手段５８とを有している。
【００４３】
次に、本実施形態の広告配信システム５０の運用方法について説明する。まず、広告群の選択処理の流れについて、図１２に示すフローチャートに基ついて説明する。携帯電話Ｗは、広告配信システム５０を利用するために、電話通信網４を介して広告用コンピュータ５１に接続する（ステップＤＴ１）。広告用コンピュータ５１は、携帯電話Ｗからの接続があるか否かを判断し、その接続があったと判断すると（ステップＴ１においてＹＥＳ）、広告群一覧を送信する（ステップＴ２）。携帯電話Ｗにおいて選択情報が入力され（ステップＤＴ２）、広告用コンピュータ５１においてその受信が確認された場合には（ステップＴ３においてＹＥＳ）、広告用コンピュータ５１は、携帯電話Ｗの電話番号を、選択された広告群に対応させて記憶する（ステップＴ４）。このとき、携帯電話Ｗからの選択情報の入力がなく、その受信が確認されない場合には（ステップＴ３においてＮＯ）、広告用コンピュータ５１は、利用者Ｙに広告配信の意思がないと判断し、処理を終了させる。
【００４４】
次に、携帯電話Ｗから呼出を行い、被呼側携帯電話Ｗｂに広告情報Ｉを配信する処理の流れについて、図１３に示すフローチャートに基づき説明する。携帯電話Ｗから呼出を行うと（ステップＤＴ３）、広告用コンピュータ５１は、携帯電話Ｗによる呼出を確認し（ステップＴ５においてＹＥＳ）、電話番号により携帯電話Ｗを特定する（ステップＴ６）。特定された携帯電話Ｗに対応する広告群から広告情報Ｉを順次または無作為に切替え、携帯電話Ｗの呼出を受けた被呼側携帯電話Ｗｂに、広告情報Ｉを送信する（ステップＴ７）。広告用コンピュータ５１から、広告情報Ｉを受信すると（ステップＤＴ４）、被呼側携帯電話Ｗｂは、広告情報Ｉを再生させる（ステップＤＴ５）。被呼側携帯電話Ｗｂの利用者が通話ボタンを押して、通話が始まると（ステップＤＴ６においてＹＥＳ）、広告情報の再生を終了させる（ステップＤＴ７）。一方、広告用コンピュータ５１では、広告情報が送信されるごとに、配信回数をカウントする（ステップＴ８）。ここで、ステップＴ１乃至ステップＴ７が本発明における請求項９の広告配信プログラムに相当する。
【００４５】
以上、述べたように第二実施形態の広告配信システム５０によれば、広告群を携帯電話Ｗに一旦記憶する必要がなく、広告用コンピュータ５１から被呼側携帯電話Ｗｂに広告情報Ｉを配信することができる。これにより、利用する広告群が携帯電話Ｗの情報記憶容量に限定されることがなく、利用者Ｙが広告群をより自由に選んで利用することができる。さらに、配信回数に応じて、携帯電話Ｗの使用料金が割引されるため、広告配信システム５０の利用が促進され、広告主Ｋにとってはより広告効果が期待できる。
【００４６】
以上、本発明について好適な二つの実施形態を挙げて説明したが、本発明はこれらの実施形態に限定されるものではなく、以下に示すように、本発明の要旨を逸脱しない範囲において、種々の改良及び設計の変更が可能である。
【００４７】
すなわち、上記実施形態の広告配信システム１，５０では、事業規模分類手段８は、従業員数によって範疇を作成し、広告主Ｋを該当する範疇に分類するものを示したが、これに特に限定されるものではなく、例えば、売上高によって範疇を作成し、広告主Ｋを該当する範疇に分類するものであってもよい。
【００４８】
また、上記実施形態の広告配信システム１，５０では、表示情報を出力する表示制御手段１７及び表示出力手段１８と、発音情報を出力する発音制御手段１９及び発音出力手段２０とを備えたものを示したが、これに特に限定されるものではなく、どちらか一方だけを設けて、広告情報Ｉに含まれる表示情報、または発音情報のどちらか一方だけを再生するものであってもよい。
【００４９】
上記実施形態の広告配信システム１，５０では、事業規模分類手段８に基づいて、広告群Ｇを作成するものを示したが、これに特に限定されるものではなく、無作為に選択した広告情報Ｉをまとめて広告群Ｇを作成するものであってもよい。
【００５０】
【発明の効果】
以上のように、請求項１の発明の広告配信システムは、携帯電話を広告媒体として有効活用できる。また、広告群単位で携帯電話に配信するため、例えば、比較的事業規模が大きくパブリシティを得ている特定の広告主に偏ることなく、比較的事業規模の小さい広告主にも公平に広告効果が期待できる。
【００５１】
請求項２の発明の広告配信システムは、請求項１の発明の広告配信システムの効果に加えて、広告群から広告情報を順次または無作為に選択して再生させるため、携帯電話の利用者は、呼出された際に再生される広告情報を、飽きることなく楽しみながら受け入れることができる。
【００５２】
請求項３の発明の広告配信システムは、請求項１または請求項２の発明の広告配信システムの効果に加えて、携帯電話に記憶された広告群から広告情報を被呼側携帯電話に送信するため、広告群が配信された利用者に限られることなく、被呼側携帯電話の利用者にも広告効果を与えることができる。
【００５３】
請求項４の発明の広告配信システムは、携帯電話を広告媒体として有効活用できる。また、広告群単位で選択させるため、例えば、比較的事業規模が大きくパブリシティを得ている特定の広告主に偏ることなく、比較的事業規模の小さい広告主にも公平に広告効果が期待できる。また、広告群から広告情報を順次または無作為に選択して再生させるため、携帯電話の利用者は、呼出された際に再生される広告情報を、飽きることなく楽しみながら受け入れることができる。さらに、利用者にとっては広告群が広告用コンピュータに記憶されているため、携帯電話の情報記憶容量に制限されることなく、より自由に広告群を選択して利用することができる。
【００５４】
請求項５の発明の広告配信システムは、携帯電話を広告媒体として有効活用できる。また、広告群単位で選択させるため、例えば、比較的事業規模が大きくパブリシティを得ている特定の広告主に偏ることなく、比較的事業規模の小さい広告主にも公平に広告効果が期待できる。また、広告群から広告情報を順次または無作為に選択して再生させるため、被呼側携帯電話の利用者は、呼出された際に再生される広告情報を、飽きることなく楽しみながら受け入れることができる。さらに、利用者にとっては広告群が広告用コンピュータに記憶されているため、携帯電話の情報記憶容量に制限されることなく、より自由に広告群を選択して利用することができる。
【００５５】
請求項６の発明の広告配信システムは、請求項４または請求項５の発明の広告配信システムの効果に加えて、広告情報の配信回数に応じて、携帯電話の使用料金が割引されるため、広告配信システムの利用促進に繋がり、広告主にとっては広告効果が期待できる。
【００５６】
請求項７の発明の広告配信システムは、請求項４乃至請求項６のいずれか一つの発明の広告配信システムの効果に加えて、呼出された際に受信した広告情報が再生されるため、携帯電話の利用者に、利用者自身が選択した広告情報に限られることなく広告効果を与えることができる。
【００５７】
請求項８の発明の広告配信プログラムは、実行させると、請求項１と同様の効果を生じさせることができる。
【００５８】
請求項９の発明の広告配信プログラムは、実行させると、請求項４と同様の効果を生じさせることができる。
【図面の簡単な説明】
【図１】本発明の第一実施形態である広告配信システムの構成を示す説明図である。
【図２】本発明の第一実施形態である広告配信システムの広告用コンピュータの機能的構成を示すブロック図である。
【図３】本発明の第一実施形態である広告配信システムの携帯電話の機能的構成を示すブロック図である。
【図４】本発明の第一実施形態である広告配信システムの広告情報を示す説明図である。
【図５】本発明の第一実施形態である広告配信システムの広告用コンピュータにおいて広告情報の入力から広告群一覧の作成までの処理の流れを示すフローチャートである。
【図６】本発明の第一実施形態である広告配信システムの広告群の配信の処理の流れを示すフローチャートである。
【図７】本発明の第一実施形態である広告配信システムの携帯電話が他の被呼側携帯電話を呼出する場合の処理の流れを示すフローチャートである。
【図８】本発明の第一実施形態である広告配信システムの携帯電話が他の発呼側携帯電話から呼出される場合の処理の流れを示すフローチャートである。
【図９】本発明の第二実施形態である広告配信システムの構成を示す説明図である。
【図１０】本発明の第二実施形態である広告配信システムの広告用コンピュータの機能的構成を示すブロック図である。
【図１１】本発明の第二実施形態である広告配信システムの携帯電話の機能的構成を示すブロック図である。
【図１２】本発明の第二実施形態である広告配信システムの広告群の選択処理の流れを示すフローチャートである。
【図１３】本発明の第二実施形態である広告配信システムの携帯電話から呼出を行い、被呼側携帯電話に広告情報を配信する処理の流れを示すフローチャートである。
【符号の説明】
１，５０  広告配信システム
４  電話通信網
５，５１  広告用コンピュータ
７  広告情報記憶手段
９  広告群作成手段
１０  広告群選択手段
１１  広告群配信手段
１５  広告群受信手段
１６  広告群記憶手段
１７  表示制御手段（広告情報出力手段）
１８  表示出力手段（広告情報出力手段）
１９  発音制御手段（広告情報出力手段）
２０  発音出力手段（広告情報出力手段）
２２  被呼側情報再生手段
２３  広告情報送信手段
５２  電話番号記憶手段
５３  特定手段（第一特定手段、第二特定手段）
５４  広告情報配信手段（第一情報配信手段、第二情報配信手段）
５５  配信回数集計手段
５６  割引手段
５７  広告情報受信手段
５８  広告情報再生手段
【図１】
0003770842.tif 000002
【図２】
0003770842.tif 000003
【図３】
0003770842.tif 000004
【図４】
0003770842.tif 000005
【図５】
0003770842.tif 000006
【図６】
0003770842.tif 000007
【図７】
0003770842.tif 000008
【図８】
0003770842.tif 000009
【図９】
0003770842.tif 000010
【図１０】
0003770842.tif 000011
【図１１】
0003770842.tif 000012
【図１２】
0003770842.tif 000013
【図１３】
0003770842.tif 000014